(57)【特許請求の範囲】
【請求項１】
パスライン方向と直交する方向に案内シャフトに沿って移動可能である横スライドサドル、上記パスライン方向に前後に移動可能である前後スライドサドル、サドルクランプ手段、前後移動駆動手段及び押圧手段を備えており、
上記横スライドサドルは、一端が上記案内シャフトに達しておりかつ溝幅が広狭可能である割溝を設け、
上記前後スライドサドルは、上記横スライドサドル上に移動可能に配置され、圧延材の案内装置を搭載するものであり、
上記サドルクランプ手段は、上記案内装置を上記前後スライドサドル上に固定可能であって、上記前後スライドサドルと連結可能であり、
上記前後移動駆動手段は、上記前後スライドサドルの前後移動を駆動するものであり、
上記押圧手段は、上記前後移動駆動手段から押圧力を横スライドサドルにその割溝の溝幅を狭くする方向に付与するものであり、
上記前後スライドサドルは上記前後移動駆動手段により上記横スライドサドル上に固定され、上記横スライドサドルは上記前後移動駆動手段から上記押圧手段に及ぶ押圧力によって上記案内シャフトに固定される
ことを特徴とするレストバー装置。
【請求項２】
前後移動駆動手段は、前後スライドサドル内に配置してあるスクリューシャフトからなる前後移動用調整軸と、横スライドサドルに取り付けてあるねじ軸受けとを備え、上記前後移動用調整軸はねじ軸受け内にねじ結合状態で挿通していることを特徴とする請求項１記載のレストバー装置。
【請求項３】
前後移動駆動手段は、横スライドサドルに取り付けてあるスクリューシャフトからなる前後移動用調整軸と、上記横スライドサドルに回転可能に取り付けてあるねじ軸受けとを備え、上記前後移動用調整軸の一端側が上記ねじ軸受け内に挿入されねじ結合されていることを特徴とする請求項１記載のレストバー装置。
【請求項４】
押圧手段は、横スライドサドルに設けてあって内面に傾斜面を形成している係合凹部と、この係合凹部に係合可能である係止部とからなり、上記係止部は傾斜面に対して割溝の溝幅を狭くする方向に押圧可能であることを特徴とする請求項１乃至請求項３のいずれかに記載のレストバー装置。
【請求項５】
押圧手段は、横スライドサドルに設けてあって割溝を挟んで対向配置してある係合突部と、前後スライドサドルに設けてあって両係止突部が係合可能である係合凹部とからなり、係合凹部は上記両係合突部を上記割溝の対向面が密着する方向に挟持可能であることを特徴とする請求項１乃至請求項３のいずれかに記載のレストバー装置。
【発明の詳細な説明】
【技術分野】
【０００１】
この発明はレストバー装置に関するものである。
【背景技術】
【０００２】
レストバー装置として、例えば特開２００４−２０９４９３号公報に記載の「着脱式レストバー装置」が提案されている。
この従来例では、レストバー本体間に案内軸に沿って横移動可能であってローラガイドを搭載するサドルを可動レストバー上に設け、このサドル内には上記案内軸が貫通されており、サドルはサドルクランプの油圧シリンダ及び皿ばねによってこのサドルと上記案内軸との隙間を縮めて上記案内軸に固定可能であり、さらに上記サドルを横移動させるための平行移動手段を配置し、この平行移動手段は油圧モータ、ウォーム及びウォームホイルを有すると共に上記サドルを貫通しているスクリューシャフトを設けている。またサドルについて、可動レストバーを通じて前後動作させるために可動レストバー本体を前後移動可能である前後移動架台に設け、この前後移動架台を前後移動用の油圧シリンダによって移動可能とするものである。
サドルの横移動は油圧モータの駆動によってその駆動力がウォーム及びウォームホイルに伝えられ、スクリューシャフトに噛み合っているウォームホイルがスクリューシャフトに沿って移動し、この移動を介してサドルが上記案内軸に沿って横移動し、また前後移動は前後移動用の油圧シリンダの駆動により、サドルを可動レストバー本体の移動に追従させる。
使用方法について説明すると、サドルを通じてローラガイドの前後移動に関しては、前後移動用の油圧シリンダのロッドを伸ばして前後移動用架台を介して可動レストバー本体を圧延機側に前進させると、サドル及びローラガイドも前進し、最適な位置で前進を停止し、ローラガイドは固定クランプによって固定される。
また、サドルの横移動に関しては、油圧モータを駆動させてサドルを案内軸に沿って水平移動させて、搭載しているローラガイドを圧延ロールの孔形に位置合わせてから、サドルクランプによってサドルと上記案内軸との隙間を縮めてサドルを位置固定する。
【特許文献１】特開２００４−２０９４９３号公報
【発明の開示】
【発明が解決しようとする課題】
【０００３】
従来例では、サドルの前後移動による位置合わせ後の固定作業と、サドルの水平移動による位置合わせ調整後の固定作業とが個別に行われていた。
しかしながら、圧延に必要なガイド装置を搭載している複数の各レストバー装置において、それぞれについて固定作業を個別にすることは、作業者の負担の軽減や作業時間の短縮の見地から改善する必要があった。
この発明の目的は、作業負荷の軽減や迅速な作業を図ることができるレストバー装置を提供することにある。
【課題を解決するための手段】
【０００４】
この発明の第１の特徴は、パスライン方向と直交する方向に案内シャフトに沿って移動可能である横スライドサドル、上記パスライン方向に前後に移動可能である前後スライドサドル、サドルクランプ手段、前後移動駆動手段及び押圧手段を備えていることにある。上記横スライドサドルは、一端が上記案内シャフトに達しておりかつ溝幅が広狭可能である割溝を設け、上記前後スライドサドルは、上記横スライドサドル上に移動可能に配置され、圧延材の案内装置を搭載するものであり、上記サドルクランプ手段は、上記案内装置を上記前後スライドサドル上に固定可能であって上記前後スライドサドルと連結可能であり、上記前後移動駆動手段は、上記前後スライドサドルの前後移動を駆動するものであり、上記押圧手段は、上記前後移動駆動手段から押圧力を横スライドサドルにその割溝の溝幅を狭くする方向に付与するものであり、上記前後スライドサドルは上記前後移動駆動手段により上記横スライドサドル上に固定され、上記横スライドサドルは上記前後移動駆動手段から上記押圧手段に及ぶ押圧力によって上記案内シャフトに固定される。
この発明の第２の特徴は、第１の特徴を前提とし、前後移動駆動手段が前後スライドサドル内に配置してあるスクリューシャフトからなる前後移動用調整軸と、横スライドサドルに取り付けてあるねじ軸受けとを備え、上記前後移動用調整軸はねじ軸受け内をねじ結合状態で挿通していることにある。
この発明の第３の特徴は、第１の特徴を前提とし、前後移動駆動手段が横スライドサドルに取り付けてあるスクリューシャフトからなる前後移動用調整軸と、上記横スライドサドルに回転可能に取り付けてあるねじ軸受けとを備え、上記前後移動用調整軸の一端側が上記ねじ軸受け内に挿入されねじ結合されていることにある。
この発明の第４の特徴は、第１乃至第３のいずれかの特徴を前提とし、押圧手段が横スライドサドルに設けてあって内面に傾斜面を形成している係合凹部と、この係合凹部に係合可能である係止部とからなり、上記係止部は傾斜面に対して割溝の溝幅を狭くする方向に押圧可能であることにある。
この発明の第５の特徴は、第１乃至第３のいずれかの特徴を前提とし、押圧手段が横スライドサドルに設けてあって割溝を挟んで対向配置してある係合突部と、前後スライドサドルに設けてあって両係止突部が係合可能である係合凹部とからなり、係合凹部は上記両係合突部を上記割溝の対向面が密着する方向に挟持可能であることにある。
【発明の効果】
【０００５】
この発明によれば、前後移動駆動手段とこれに連動する押圧手段を設けているので、横スライドサドルと前後スライドサドルのロックを同時に行え、個別毎のロック作業がなくなり、作業者の負担を軽減することができ、作業の迅速化を図ることができる。
【発明を実施するための最良の形態】
【０００６】
この発明の実施の一形態を図１〜図４を参照して説明する。
図１に示すレストバー装置１は、横スライドサドル２、前後スライドサドル３、サドルクランプ手段４、前後移動駆動手段である前後移動用調整軸５及び押圧手段６を備えている。
【０００７】
横スライドサドル２は、パスライン方向（図１左右方向）と直交する方向（横移動方向）に案内シャフト７に沿って横移動駆動手段８によって移動可能である。横スライドサドル２内に案内孔２ａが開けられており、この案内孔を案内シャフト７が貫通されている。案内シャフト７は対向配置してあるレストバーフランジ９間に渡されている。案内シャフト７の一側（図１左側）にガイドバー７ａを取り付けてあり、横スライドサドル２の横移動はこのガイドバーによって安定される。
また横スライドサドル２内は、図１に示すように水平方向に割溝２ｂを形成してある。割溝２ｂは案内孔２ａに達し、広狭可能な溝幅を有するすり割である。
横スライドサドル２の上部には前後スライドサドル３を案内するためのスライド溝２ｃ（図１）を設けてある。
横移動駆動手段８について説明すると、図３及び図４に示すように本体８ａにはハンドル８ｂの回転操作によって図４左右方向に伸縮するジャッキスクリュー８ｃを設けてある。ジャッキスクリュー８ｃの先端には連結シャフト８ｄを接続してあり、この連結シャフトの最先端部が横スライドサドル２の接続部２ｄに接続されている。
横スライドサドル２は、ハンドル８ｂの回転操作による連結シャフト８ｄの伸縮動作に伴って図３上下方向に案内シャフト７に沿って移動することができる。
【０００８】
前後スライドサドル３は、図１に示すように上記パスライン方向に前後に移動可能であってかつその上部で圧延材の案内装置Ｇを搭載することができる。前後スライドサドル３は図２に示すように断面Ｌ形に形成されている。前後スライドサドル３の圧延ロールＲ側の一端（図２左端）の上部側部に案内装置ＧのベースＧａを掛け止めるための掛け止め溝部３ａを設けてある。前後スライドサドル３の圧延ロールＲ側とは反対側の他端（図２右端）下部に連結部３ｂを下方に向けて突出してある。連結部３ｂはサドルクランプ手段４と結合される。
【０００９】
サドルクランプ手段４は、図１及び図２に示すようにクランプ１１、クランプボルト１２及びナット１３を備えている。クランプ１１は上端にフック１１ａを形成してあり、このフックが前後スライドサドル３上に案内装置ＧのベースＧａを掛け止めた状態で固定することができる。クランプ１１の下部にはセットボルト１４を前後方向に移動可能に取り付けてある。セットボルト１４の頭部をクランプ１１の内面に突出させ、前後スライドサドル３の連結部３ｂの外側面に当接させている。
クランプボルト１２は図１に示すようにクランプ１１及び前後スライドサドル３の連結部３ｂのそれぞれを厚み方向に貫通されている。クランプボルト１２にはクランプ１１の外側面側にナット１３を取り付けある。ナット１３の締め込みによって、クランプ１１と連結部３ｂとが一体的に結合され、またクランプのフック１１ａを通じて案内装置ＧのベースＧａが固定される。
【００１０】
前後移動用調整軸５は、図１に示すように前後スライドサドル３内を水平方向に貫通されており、圧延ロールＲと反対側（右側）の先端部側がクランプ１１内まで延伸されている。前後移動用調整軸５はスクリューシャフトからなり、その先端部側が前後スライドサドル３内の端部に軸受けされている。また前後移動用調整軸５は、その中間部が横スライドサドル２の上部に取り付けてあるねじ軸受け１５とその雌ねじを介してねじ結合されている。ねじ軸受け１５は、前後移動用調整軸５と共に前後移動駆動手段を構成している。
前後移動用調整軸５の先端部にはエクステンションバー１６の先端部が着脱可能である。エクステンションバー１６の先端部を前後移動用調整軸５の先端部に結合した状態で、エクステンションバーを回転操作することによってねじ軸受け１５が固定されているから、前後移動用調整軸が前後（図１左右）に移動し、この移動を通じて前後スライドサドル３を前後に移動させることができる。
【００１１】
押圧手段６について図１及び図２を参照して説明する。
押圧手段６は、係止部１７と、係合部である係合凹部２ｆを備えている。係止部１７はクランプ１１の下側に取り付けてあって、連結部３ｂの下部に配置されている。係止部１７の断面形状は円形となっている。
また横スライドサドル２の外側面の下部に突出部２ｅを設けてある。突出部２ｅの先端部に係合凹部２ｆを設けてあり、この係合凹部は断面がほぼＶ形に形成され、内面の上側が図１右肩上がりの傾斜面２ｆ１となっている。横スライドサドル２の外側面側であって、突出部２ｅの上側が収納凹部１８となっている。
係止部１７は突出部２ｅの係合凹部２ｆと係合可能であり、図１に示すように係合されている状態では係止部１７が傾斜面２ｆ１に対して突出部２ｅを持ち上げる方向（図１では上方）に押圧力を付与している。
【００１２】
ここで、横スライドサドル２、前後スライドサドル３、前後移動用調整軸５及び押圧手段６の各関係について説明する。
前後スライドサドル３は、前後移動用調整軸５の移動に伴って横スライドサドル２上をスライド溝２ｃに沿って前後にスライドすることができる。
前後移動用調整軸５を例えば逆方向に回転操作することにより、前後スライドサドル３は後方に移動し、連結部３ｂも横スライドサドル２の収納凹部１８から離れ、同時にクランプ１１も連結部３ｂと一体となって後退する。この時、案内装置Ｇの先端部は圧延ロールＲから引き出される。
また前後移動用調整軸５を正転させることにより、前後スライドサドル３も前方に移動し、連結部３ｂは横スライドサドル２の収納凹部１８内に納まり、同時にクランプ１１も連結部と一体となって前進し、係止部１７が突出部２ｅの係合凹部２ｆに係合される（図２）。
このような係合状態において、前後移動用調整軸５を強く締め込むことによって、前後スライドサドル３の位置が固定され、連結部３ｂに取り付けられている係止部１７の押圧力は係合凹部２ｆの傾斜面２ｆ１を経て横スライドサドル２の下部（突出部２ｅ）を持ち上げる力に変換され、割溝２ｂの隙間が狭くなって行き、案内孔２ａの内周面と案内シャフト７の外周面との隙間が狭くなり、やがて互いに密着することになるから、横スライドサドルが案内シャフトにロックされることになる。
【００１３】
次に、レストバー装置１の使用法を説明する。
レストバー装置１が図２に示す状態にあって、例えばカリバー替えをする場合、まず前後スライドサドル３上に搭載している圧延材の案内装置Ｇを後退させる必要がある。
そこで、まず、前後移動用調整軸５による前後スライドサドル３のロックを解除するために、エクステンションバー１６の先端部を前後移動用調整軸の先端部に接続して、ロックを緩め方向にエクステンションバーを所定方向に回す（例えば逆回転させる）。エクステンションバー１６の逆回転によって前後移動用調整軸５も逆回転され、この回転を継続することにより前後スライドサドル３が後方に移動され、前後スライドサドル上の案内装置Ｇも後退して所定の位置に後退した時点で前後スライドサドルの移動を停止させる。前後スライドサドル３を停止させた時点で、案内装置Ｇの先端が圧延ロールＲから引き出される（図１）。
前後移動用調整軸５の後退に伴って、図１に示すように係止部１７による突出部２ｅへの押圧力の解除により、割溝２ｂの隙間が開いて横スライドサドル２の案内孔２ａと案内シャフト７との密着が解かれて、横スライドサドル２のロックが解除されるから、横スライドサドルの移動が可能な状態になる。
ついで、横移動駆動手段８のハンドル８ｂの回転操作によって連結シャフト８ｄを通じて横スライドサドル２を案内シャフト７に沿って移動させて、新カリバーの位置を合わせるための調整作業をする。
横移動による横スライドサドル２の位置合わせ調整後、前後移動用調整軸５によって前後スライドサドル３の位置合わせ及びロックをするために、次の操作をする。
エクステンションバー１６を用いて正回転させる。エクステンションバー１６の正転によって前後移動用調整軸５も同一方向に回転され、この回転を継続することにより前後スライドサドル３が前進され、前後スライドサドル上の案内装置Ｇも前進され所定の位置に移動し、位置合わせの調整作業をする。案内装置Ｇの先端が圧延ロールＲ内の所定の位置に納まった段階では係止部１７は係合凹部２ｆ内に係合されている。
前後スライドサドルの位置調整の最終時点において、エクステンションバー１６によって前後移動用調整軸５を強く締め込むと、係止部１７は係合凹部２ｆの傾斜面２ｆ１を上方に押圧し、この押圧力が横スライドサドル２に及んで、割溝２ｂの隙間が狭くなり、やがて溝対向面が密着され、案内孔２ａの内周面と案内シャフト７の外周面とが密着されるから、横スライドサドルが案内シャフトにロックされることになる。同時に、前後スライドサドル３も横スライドサドル２にロックされることになる。
上述したように、前後スライドサドル３の位置調整の最終の過程において、前後移動用調整軸５を締め込むことによって、前後スライドサドルの固定作業と案内シャフト７に対する横スライドサドル２の固定作業とを同時に行える。
【００１４】
この発明の実施の他の形態を図５〜図８を参照して説明する。
図５に示すレストバー装置１Ａは、その構成において、図１に示すレストバー装置１のそれと主要部分で共通しているので、相違する構成部分（特徴的な部分）のみを説明し、共通するものについては詳細な説明を省略する。
横スライドサドル１０２、案内孔１０２ａ、割溝１０２ｂ、スライド溝１０２ｃ、接続部１０２ｄ、前後スライドサドル１０３、掛け止め溝部１０３ａ、連結部１０３ｂ、案内シャフト１０７、ガイドバー１０７ａ、レストバーフランジ１０９、サドルクランプ手段１０４のクランプ１１１、フック１１１ａ、クランプボルト１１２及びナット１１３、横移動駆動手段１０８の本体１０８ａ、ハンドル１０８ｂ、ジャッキスクリュー１０８ｃ及び連結シャフト１０８ｄは、レストバー装置１における横スライドサドル２、案内孔２ａ、割溝２ｂ、スライド溝２ｃ、接続部２ｄ、前後スライドサドル３、掛け止め溝部３ａ、連結部３ｂ、案内シャフト７，ガイドバー７ａ、レストバーフランジ９、サドルクランプ手段４のクランプ１１、フック１１ａ、クランプボルト１２及びナット１３、横移動駆動手段８の本体８ａ、ハンドル８ｂ、ジャッキスクリュー８ｃ及び連結シャフト８ｄにそれぞれ対応している。
さて、レストバー装置１Ａにおける特徴的な部分は下記のとおりである。
その１は、前後移動駆動手段である前後移動用調整軸１１８の構成にある。すなわち、前後移動用調整軸１１８は、その一端（図５左端）が横スライドサドル１０２に固定的に接続され、他端側がねじ軸受け１１９内の雌ねじにねじ込まれている。ねじ軸受け１１９は袋ナット状に形成されており、前後スライドサドル１０３の連結部１０３ｂ及びクランプ１１１内に水平方向に挿通されかつ回転可能に保持されている。ねじ軸受け１１９の頭部を持ってこのねじ軸受けを前後スライドサドル１０３のロックを解除する方向に回転させると（例えば逆回転させると）、前後移動用調整軸１１８がねじ軸受け内から離脱する方向に移動することになり、ねじ軸受けが相対的に図６右方へ移動（後退）するから、前後スライドサドル１０３が後退する。反対に、ねじ軸受け１１９を正転させると、ねじ軸受けが前後移動用調整軸１１８に沿って前進するから、前後スライドサドル１０３が前進する。
その２は、押圧手段１０６の構成にある。すなわち、押圧手段１０６は係止突部１０２ｇ１，１０２ｇ２と係合凹部１０３ｃを備えている。
係止突部１０２ｇ１，１０２ｇ２は図５及び図６に示すように割溝１０２ｂを挟んで上下方向に隣接して横スライドサドル１０２の外側面に突出して設けられている。係合凹部１０３ｃは前後スライドサドル１０３の連結部１０３ｂにほぼＶ形に形成されており、係止突部１０２ｇ１，１０２ｇ２に対向する外側面に配置されている。係止突部１０２ｇ１，１０２ｇ２は係合凹部１０３ｃ内に係合可能である。係止突部１０２ｇ１，１０２ｇ２は図５に示すような係合状態において、係合凹部１０３ｃの内面が係止突部を上下方向から挟むように所定の押圧力によって保持している。係止突部１０２ｇ１，１０２ｇ２は、係合凹部１０３ｃの内面によって挟持されることにより、互いに突合せ面が接触することになるから、案内シャフト１０７の外周面と案内孔１０２ａの内周面が密着され、横スライドサドル１０２が案内シャフト１０７にロックされる。
なお、係止手段１１６である係止部１１７と係合凹部１０２ｆとは前記係止部１７と係合凹部２ｆに対応しているが、係合凹部１０２ｆは連結部１０３ｂに形成されている点で係合凹部２ｆとは相違している。そして係止部１１７と係合凹部１０２ｆとの係合状態においてクランプ１１１は圧延材の案内装置Ｇを常に固定している。
【００１５】
次に、レストバー装置１Ａの使用法を説明する。
この使用法は上記レストバー装置１のそれと共通しているので、相違点のみ説明する。
例えばカリバー替えの場合には、ねじ軸受け１１９を例えば逆回転させることにより、前後移動用調整軸１１８を通じて前後スライドサドル１０３が横スライドサドル１０２上を図６右方へ移動するから、前後スライドサドルが後退し、案内装置Ｇの先端が圧延ロールＲから引き出される。
前後スライドサドル１０３の後退に伴って、図６に示すように前後スライドサドルの連結部１０３ｂが横スライドサドル１０２から離れ、係止突部１０２ｇ１，１０２ｇ２と係合凹部１０３ｃとの係合が解除されるために、横スライドサドル１０２のロックが解除される。
解除後は、横移動駆動手段１０８によって横スライドサドル１０２を案内シャフト１０７に沿って移動させて、新カリバーの位置を合わせるための調整作業をする。
横移動調整後、前後移動用調整軸１１８とねじ結合しているねじ軸受け１１９を正回転させる。ねじ軸受け１１９の正転を継続することにより前後スライドサドル１０３が前進され、前後スライドサドル上の案内装置Ｇも前進され、案内装置Ｇの先端が圧延ロールＲ内の所定位置に納まる。そして位置合わせの最終時点で、位置調整後、ねじ軸受け１１９を強く締め込んで前後スライドサドル１０３の固定作業を終える（図５）。
前後スライドサドル１０３の位置合わせを終えた段階では、図５に示すように係止突部１０２ｇ１，１０２ｇ２と係合凹部１０３ｃとが係合されている。係止突部１０２ｇ１，１０２ｇ２と係合凹部１０３ｃとの係合の過程では、係合凹部の内面が係止突部１０２ｇ１，１０２ｇ２を挟んで両者の隙間が次第に狭くなり、やがて密着し、その結果割溝１０２ｂの対向面が密着し、ねじ軸受け１１９を強く締め込むことにより、横スライドサドル１０２は案内シャフト１０７にロックされる。
図５に示すレストバー装置１Ａにおいても、前後スライドサドル１０３の位置調整の過程で、前後移動用調整軸１１８を締め込むことによって、前後スライドサドルの固定作業と案内シャフト７に対する横スライドサドル１０２の固定作業とを同時に行える。
【００１６】
図１に示すレストバー装置１では前後移動用調整軸５を操作し、この操作に連動する押圧手段６によって、また図５に示すレストバー装置１Ａでは、ねじ軸受け１１９を通じて前後移動用調整軸１１８を操作し、この操作に連動する押圧手段１０６によって、いずれの例でも前後スライドサドル３，１０３の位置合わせ及びその固定作業（ロック）を終えると同時に、案内シャフト７，１０７に対する横スライドサドル２，１０２の固定作業（ロック）を終えることができる。前後スライドサドル３，１０３の固定作業と横スライドサドル２，１０２の固定作業とを個別にする必要がなくなるから、作業者の負担を軽減することができ、カリバー替えに伴う位置調整の作業能率の向上に寄与する。
【００１７】
図１において、係止部１７と係合凹部２ｆの配置位置を逆にしても良く、係合凹部２ｆを横スライドサドル２側に必ずしも配置することを要しない。
【図面の簡単な説明】
【００１８】
【図１】この発明の実施の一形態を示すレストバー装置の正面図である。
【図２】この発明の実施の一形態を示すレストバー装置の正面図であって、横スライドサドル及び前後スライドサドルのロックの状態を示す図である。
【図３】この発明の実施の一形態を示すレストバー装置の平面図である。
【図４】この発明の実施の一形態を示すレストバー装置の側面図である。
【図５】この発明の実施の他の形態を示すレストバー装置の断面図である。
【図６】この発明の実施の他の形態を示すレストバー装置の断面図であって、横スライドサドル及び前後スライドサドルのロックが解除されている状態の図である。
【図７】この発明の実施の他の形態を示すレストバー装置の平面図である。
【図８】この発明の実施の他の形態を示すレストバー装置の側面図である。
【符号の説明】
【００１９】
１，１Ａ                    レストバー装置
２，１０２                  横スライドサドル
２ａ，１０２ａ              案内孔
２ｂ，１０２ｂ              割溝
２ｆ，１０２ｆ              係合凹部（係合部）
２ｆ１                      傾斜面
３，１０３                  前後スライドサドル
４，１０４                  サドルクランプ手段
５                          前後移動用調整軸（前後移動駆動手段）
６，１０６                  押圧手段
７，１０７                  案内シャフト
８，１０８                  横移動駆動手段
１５                        ねじ軸受け（前後移動駆動手段）
１７，１１７                係止部
１０２ｇ１，１０２ｇ２      係止突部
１０３ｃ                    係合凹部
１１８                      前後移動用調整軸（前後移動駆動手段）
１１９                      ねじ軸受け（前後移動駆動手段）
Ｇ                          圧延材の案内装置
【図１】
0004843370.tif 000002
【図２】
0004843370.tif 000003
【図３】
0004843370.tif 000004
【図４】
0004843370.tif 000005
【図５】
0004843370.tif 000006
【図６】
0004843370.tif 000007
【図７】
0004843370.tif 000008
【図８】
0004843370.tif 000009